(57)【特許請求の範囲】
【請求項１】
中空筒体内で、柵ベルトを、バネにより復動回転する巻取りドラムに巻回して装着し、該柵ベルトの先端に固着したフック片を中空筒体の引出し口から外に露出して、該フック片の引張操作により柵ベルトを引出し可能としたベルト引出し装置を具備するベルト柵用ポールにおいて、
巻取りドラムに基部ベルトの一端部を固定し、かつ基部ベルトの開放側の他端部に、先端にフック片を固着した柵ベルトの後端部を分離可能に結合して、その結合部分に、基部ベルトよりも肉厚の肉厚部を形成し、さらに中空筒体に形成した縦長の装着口に、引出し口を備えるストッパ口片を着脱可能に嵌着し、該ストッパ口片の引出し口の幅を柵ベルトが通過可能で、かつ肉厚部が通過不能な寸法として、結合部分の引出しを不能とすると共に、装着口の幅を基部ベルトと柵ベルトの肉厚部の通過を可能とする寸法として、該ストッパ口片を装着口から除去することにより、結合部分の引出しを可能とするようにして、柵ベルトの交換を可能としたことを特徴とするベルト柵用ポール。
【請求項２】
前記結合部分を、柵ベルトと基部ベルト間に、一方の面が無数の可撓性鈎状係止片を備えてなり、他方の面が該鈎状係止片に引っ掛かるループが形成されてなる接合面対を介装し、該接合面相互の重ね合わせにより、両ベルトを分離可能に接合して構成すると共に、その重ね合わせにより肉厚部を形成したことを特徴とする請求項１記載のベルト柵用ポール。
【発明の詳細な説明】
【０００１】
【発明の属する技術分野】
本発明は、柵ベルトを引出し可能に備えるベルト柵用ポールに関する。
【０００２】
【従来の技術】
中空筒体内で、柵ベルトを、バネにより復動回転する巻取りドラムに巻回して装着し、該柵ベルトの先端に固着したフック片を中空筒体の引出し口から外に露出して、該フック片の引張操作により柵ベルトを引出し可能としたベルト引出し装置を具備するベルト柵用ポールは、本願出願人によって先に出願（特願平７−２２４８０９号）されている。このベルト柵用ポールは、複数適宜間隔で立設し、これらポール間に渡って、柵ベルトを張設して歩行者の通行規制等に用いられる。
【０００３】
【発明が解決しようとする課題】
ところで、ベルト柵用ポールは、ホテル，劇場等で、入口の入場規制を行なう等、比較的、華美な場所で持ちいられることが多く、このため、柵ベルトも種々の色彩のものが好まれる。ところで、従来は、客の注文に基づき、当該色彩の柵ベルトを巻取りドラムに巻回するようにして組み付けており、面倒であると共に、色彩変更に簡易に対応できなかった。また、柵ベルトに汚れを生じた場合も、柵ベルトの交換はベルト引出し装置を分解する必要があり、柵ベルトを簡易に取り替えたり、または汚れ落しを行なうことがきなかった。
本発明は、かかる従来構成の問題点を除去することを目的とするものである。
【０００４】
【課題を解決するための手段】
本発明は、中空筒体内で、柵ベルトを、バネにより復動回転する巻取りドラムに巻回して装着し、該柵ベルトの先端に固着したフック片を中空筒体の引出し口から外に露出して、該フック片の引張操作により柵ベルトを引出し可能としたベルト引出し装置を具備するベルト柵用ポールにおいて、
巻取りドラムに基部ベルトの一端部を固定し、かつ基部ベルトの開放側の他端部に、先端にフック片を固着した柵ベルトの後端部を分離可能に結合して、その結合部分に、基部ベルトよりも肉厚の肉厚部を形成し、さらに中空筒体に形成した縦長の装着口に、引出し口を備えるストッパ口片を着脱可能に嵌着し、該ストッパ口片の引出し口の幅を柵ベルトが通過可能で、かつ肉厚部が通過不能な寸法として、結合部分の引出しを不能とすると共に、装着口の幅を基部ベルトと柵ベルトの肉厚部の通過を可能とする寸法として、該ストッパ口片を装着口から除去することにより、結合部分の引出しを可能とするようにして、柵ベルトの交換を可能としたことを特徴とするベルト柵用ポールである。
【０００５】
これにより、ストッパ口片を除去するだけで、柵ベルトの交換を行なうことができ、該柵ベルトの色を変えたいような場合や、柵ベルトの汚れを落したいような場合に容易に対応することができる。
【０００６】
ここで前記結合部分を、柵ベルトと基部ベルト間にマジックテープ（登録商標）面対を介装し、該マジックテープ面相互の重ね合わせにより、両ベルトを分離可能に接合して構成すると共に、その重ね合わせにより肉厚部を形成することができる。ここでマジックテープは登録商標に係り、マジックテープ面対とは、従来周知の一方の面が無数の可撓性鈎状係止片を備えてなり、他方の面が該鈎状係止片に引っ掛かるループが形成されてなる接合面対をいい、基部ベルト又は柵ベルトに、マジックテープ面を直接形成したり、一方のマジックテープを固結する等種々の形成手段がある。そして、この場合には重ね合わせ部分が生じることとなるから、該部分により肉厚部が形成される。
【０００７】
【発明の実施の形態】
本発明の一実施例を、添付図面に従って説明する。
図１，２は、本発明を適用したベルト柵用ポール１を示す図面である。このベルト柵用ポール１は支柱本体２の下端に支持基板３を、その上端にベルト引出し装置１０を夫々具備してなり、ホテル，デパート，劇場，会議室の入口等に、移動可能に載置される。
【０００８】
前記ベルト引出し装置１０の構成をさらに詳細に説明する。
図４で示すように、支柱本体２内には、パイプ軸１２が上下方向に支持され、該パイプ軸１２の上端に、天壁５を固定螺子６により連結し、支持基板３と天壁５により、パイプ軸１２に外嵌した筒体１１を上下で挟持して取付けている。さらには、前記天壁５上には、キャップ７が固着されている。
【０００９】
図３，４で示すように、この筒体１１内の上部では、パイプ軸１２に巻取りドラム１４が回転可能に嵌装されている。この巻取りドラム１４は、天壁５に固定したドラム保持筒１５に、回転可能に支持され、該ドラム保持筒１５内に配設したゼンマイバネ１６により巻取り方向へ付勢するようにしている。
【００１０】
この巻取りドラム１４には上方へ連結管部１７が連成され、その外周には、ベルト連結筒片１８が一体回転可能に外嵌されている。そして、該ベルト連結筒片１８の周部に形成した連結溝孔１９に、基部ベルト２０の一端に固着した嵌装部２１が上方から挿入され、これにより基部ベルト２０の端部が巻取りドラム１４に固着される。また、基部ベルト２０の他端に柵ベルト２３が脱着可能に接続されている。この柵ベルト２３の引出し端には、図１，２で示すように、円筒状の金具からなるフック片４０が固着される。また、筒体１１には、該フック片４０が外嵌する連係杆４１が取付けられている。そして、柵ベルト２３は筒体１１から引出され、そのフック片４０を、通路の他側で対向状に配設される他のベルト柵用ポール１の連係杆４１に外嵌して、両ポール１，１間に差し渡され、該ポール１，１間の通行を規制する。
【００１１】
次に本発明の要部に係るベルト引出し装置１０を詳細に説明する。
基部ベルト２０には、マジックテープ（登録商標）面が形成されている。このマジックテープ面を形成するために、基部ベルト２０をマジックテープで形成しても良い。また柵ベルト２３の端部には、外面をマジックテープ面とするマジックテープ２４が重ね合わせて縫い付けられている。このマジックテープ面対は、一方が無数の可撓性鈎状係止片を備えてなり、他方が該記鈎状係止片に引っ掛かるループが形成されてなる周知構造のものであり、その重ね合わせによる接合作用によって、ベルト２０，２３の接続及び分離が容易になされ得る結合部分２８が形成される。そして、前記基部ベルト２０の端部と、マジックテープ２４，基部ベルト２０の重ね合わせにより、基部ベルト２０よりも肉厚な肉厚部２５が形成される。
【００１２】
前記筒体１１には、上下に長い装着口３０が形成されている。この装着口３０の幅ｗ1 は、肉厚部２５の厚さｔ1 よりも大きな寸法としている。これにより、該肉厚部２５は装着口３０の通過が可能となって、図５で示すように、筒体１１の外側に引出され得る。
【００１３】
また、前記装着口３０には、ストッパ口片３１を着脱可能に嵌着している。このストッパ口片３１は、合成樹脂材料，合成ゴム等からなり、縦長の引出し口３２を備え、該引出し口３２に柵ベルト２３が挿通する。この引出し口３２の幅ｗ2 は、柵ベルト２３の厚さｔ2 とほぼ等しくしている。また、ストッパ口片３１は装着口３０の前部周縁に当接する縁取り部３３と、装着口３０に外から内嵌する嵌装部３４とを連成してなり、該嵌装部３４に図６で示すように、係止隆部３５を適宜間隔で形成し、縁取り部３３と係止隆部３５間に装着口３０の内周縁が嵌着する係合溝を周成している。
【００１４】
このストッパ口片３１は、縁取り部３３の両側から力を加えることにより係止隆部３５を弾縮し、これにより、装着口３０に対して外面から、嵌装部３４を挿入が可能となり、かつ該上下の力を解除することにより、復動して、嵌装部３４が装着口３０の内側周縁に嵌着し、これにより離脱不能に装着口３０に保持されることとなる。このストッパ口片３１の取り外しも、上述と同様に、縁取り部３３の上下を圧縮して、嵌装部３４と装着口３０の内周縁との係合を解除することにより可能となる。
【００１５】
かかる構成にあって、フック片４０を把持して引張すると、ゼンマイバネ１６の付勢力に抗して、柵ベルト２３が、ストッパ口片３１の引出し口３２から引出される。ところで、その引出しにより、肉厚部２５がストッパ口片３１の位置にくると、図３で示すように、基部ベルト２０の開放端が引出し口３２の内側周縁に当接し、引出し不能となる。このため、装着口３０が筒体１１の外方へ過剰引出しされて、該柵ベルト２３が基部ベルト２０から分離したり、該基部ベルト２０の露出により、美観を損ねたりすることはない。
【００１６】
ところで、ベルト柵用ポール１は、ホテル，劇場内等で、入口の入場規制を行なう等、比較的、華美な場所で持ちいられることが多く、このため、柵ベルト２３は種々の色彩のものが好まれる。そこで、上述の構成にあっては、柵ベルト２３を各種別途用意すれば、ベルト引出し装置１０を分解しなくても、外付け交換可能となる。
【００１７】
この場合にあっては、上述したように、ストッパ口片３１をその上下を、手で圧縮方向に絞って、装着口３０から除去した後、柵ベルト２３を引張すると、肉厚部２５が通過して結合部分２８が外側に引出される。そこで、基部ベルト２０からマジックテープ２４を引き剥して柵ベルト２３を除去し、さらに新たな柵ベルト２３の基端にあるマジックテープ２４を基部ベルト２０のマジックテープ面に接合する。これにより、柵ベルト２３は、基部ベルト２０に対して容易に接合される。そしてさらに、あらかじめ柵ベルト２３を引出し口３２に挿通させて外嵌しておいたストッパ口片３１を、上述と同様に装着口３０に嵌着する。
而して、容易に、柵ベルト２３の交換を容易、迅速に行ない得ると共に、通常使用時には、基部ベルト２０が外に引出されることはない。この柵ベルト２３の交換は、該柵ベルト２３の汚れ落しや、新品の柵ベルト２３との交換等に際して、使用者においても簡易に行なうことができる。
【００１８】
上述の構成にあって、基部ベルト２０と柵ベルト２３の結合をマジックテープ面対により行なって肉厚部２５を形成し、これにより肉厚部２５で引出し口３２で係止して、過剰引出しを阻止するようにしたが、例えば、簡易に相互に結合されるボタンを基部ベルト２０と柵ベルト２３の結合端に設けて、両端を重ね合わせたり、さらには、ベルト２０，２３相互にフック金具（例えばフック片４０，連係片４１の構造をそのまま用いる）を適用しても良い。この場合にも、ストッパ口片３１のある状態では、フック金具が引出し口３２に内側で係合して、柵ベルト２３の過剰引出しを阻止され、装着口３０からは重ね合わせ部や、フック金具の通過を可能とするように、夫々の幅寸法を設定する。
【００１９】
【発明の効果】
本発明は、上述のように、巻取りドラムに基部ベルトの一端部を固定し、かつ開放側の他端部に、先端にフック片を固着した柵ベルトの後端部を重ね合わせて分離可能に接合し、さらに筒体に形成した装着口に、ストッパ口片を着脱可能に嵌着し、該ストッパ口片の引出し口の幅を柵ベルトのみが通過可能とし、かつ装着口を基部ベルトと柵ベルトの結合部分に形成した肉厚部の通過を可能とするようにしたものであり、これにより、常態では、基部ベルトの引出しを不能とし、ストッパ口片を装着口から除去すると、結合部分を、筒体の外へ引出し可能として、柵ベルトの交換を可能としたものである。このため、ベルト引出し装置を分解することなく、柵ベルトの交換を容易かつ簡単に行なうことができ、柵ベルトの客の色彩指定に迅速に対応でき、かつ使用者側にあっても、柵ベルトの汚れ落しのための取り外しや、引出し摩耗により消耗した柵ベルトの交換を容易に行なうことができる優れた効果がある。
【図面の簡単な説明】
【図１】本発明の一実施例に係るベルト柵用ポールの正面図であり、柵ベルト２３を引出した状態を示す。
【図２】同ベルト柵用ポールの縦断面図であり、柵ベルト２３を収納した状態を示す。
【図３】柵ベルト２３の最大引出し状態を示す拡大横断平面図である。
【図４】同上の要部の縦断面図である。
【図５】ストッパ口片３１を除去した状態の拡大横断平面図である。
【図６】ストッパ口片３１の正面図である。
【符号の説明】
１  ベルト柵用ポール
１０  ベルト引出し装置
１１  筒体
１４  巻取りドラム
２０  基部ベルト
２３  柵ベルト
２４  マジックテープ
２５  肉厚部
２８  結合部分
３０  装着口
３１  ストッパ口片
３２  引出し口
【図１】
0004068222.tif 000002
【図２】
0004068222.tif 000003
【図３】
0004068222.tif 000004
【図４】
0004068222.tif 000005
【図５】
0004068222.tif 000006
【図６】
0004068222.tif 000007